(57)【要約】【課題】  従来の履物殺菌装置では、すぐに殺菌することができず、長時間収納庫に保管しなければならないという問題があった。【解決手段】  側板２に間隔を開けて複数の支持部材３の両端が平行に固着され、支持部材３にスリッパ４の甲被４ａと底板４ｂの間の空間に挿入されるスリッパ掛け５が先端５ａを上にして固着され、スリッパ掛け５に先端近傍の前面５ｂにセンサ６が装着され、スリッパ掛け５の内部５ｃは中空に構成され、スリッパ掛け５の前面５ｂに多数の噴出口５ｄが形成され、スリッパ掛け５の下端の接続口５ｅに配管７の一端７ａが接続され、この配管７の他端７ｂは枠体１の下部の装着部１ａに装着された霧化ユニット８にそれぞれ接続され、後部に電源及び制御装置が内蔵された電源ユニット１０が装着されている。【選択図】図１
2008206877.tif 000002
【特許請求の範囲】
【請求項１】
両側の側板に複数段に装着された支持部材と、各段の支持部材の先端が上方になるように装着され、内部が中空に構成され、かつ前面に多数の噴出口を形成するとともに、センサを装着した多数のスリッパ掛けと、該スリッパ掛けのそれぞれに一端が接続された複数の配管と、該配管の他端に接続され、前記スリッパ掛けの下部の装着部に装着される薬液を霧化する霧化ユニットと、前記センサからの信号により前記霧化ユニットを駆動する電源及び制御装置を内蔵した電源ユニットとからなり、前記スリッパ掛けにスリッパが掛けられると、該スリッパを前記センサで検出した信号により前記電源ユニットからの信号で、前記霧化ユニットで霧化された薬液の霧化粒子を前記配管を介して前記スリッパ掛けの噴出口から噴出することにより、前記スリッパ掛けに掛けられた前記スリッパを消毒することを特徴とする消毒スリッパ掛け装置。
【請求項２】
前記スリッパ掛けの前記センサは光が遮断されることによって前記霧化ユニットを駆動する光学センサであることを特徴とする請求項１記載の消毒スリッパ掛け装置。
【請求項３】
前記スリッパ掛けの前記センサはスリッパの重量によってオンになるリミットスイッチからなることを特徴とする請求項１記載の消毒スリッパ掛け装置。
【請求項４】
前記スリッパ掛けは裏面に多数の噴出口を形成したことを特徴とする請求項１記載の消毒スリッパ掛け装置。
【発明の詳細な説明】
【技術分野】
【０００１】
本発明は、スリッパ掛けに掛けられたスリッパを霧化ユニットからの霧化薬液で消毒する消毒スリッパ掛け装置に関するものである。
【背景技術】
【０００２】
従来、病院等において、スリッパは出入り口に並べて置かれたり、スリッパ掛けに掛けられているが、１日に多数の人がスリッパを履くので、非常に汚く、使用した後にすぐ消毒をすることが望まれていた。
【０００３】
そこで、従来では、スリッパを消毒するために、収納庫内の側面に殺菌灯を装着し、掛止具にスリッパを掛け、ファンで庫内の空気を循環するようにした履物殺菌装置が提案されている。
【０００４】
しかしながら、このように構成された従来の履物殺菌装置では、殺菌灯を使用しているために、スリッパの甲被の内部まで殺菌灯からの光が届かないために、殺菌灯からの光で殺菌された空気を循環しているので、スリッパの甲被の内部まで殺菌するためには、殺菌庫内にスリッパを収納して、すぐに殺菌することはできず、長時間保管しなければならないという問題があった。  
【特許文献１】特開平１１−１５５９３３号
【発明の開示】
【発明が解決しようとする課題】
【０００５】
解決しようとする問題点は、従来の履物殺菌装置では、すぐに殺菌することができず、長時間収納庫に保管しなければならないという問題があった。
【課題を解決するための手段】
【０００６】
本発明では、支持部材は両側の側板に複数段に装着され、多数のスリッパ掛けは各段の支持部材の先端が上方になるように装着され、内部が中空に構成され、かつ前面に多数の噴出口を形成するとともに、センサを装着され、複数の配管はスリッパ掛けのそれぞれに一端が接続され、薬液を霧化する霧化ユニットは配管の他端に接続され、スリッパ掛けの下部の装着部に装着され、スリッパ掛けにスリッパが掛けられると、スリッパをセンサで検出して、霧化ユニットで霧化された薬液の霧化粒子を配管を介してスリッパ掛けの噴出口から噴出することにより、スリッパ掛けに掛けられたスリッパを消毒するものとである。
【発明の効果】
【０００７】
本発明の消毒スリッパ掛け装置では、スリッパ掛けにスリッパがかけられると、センサで掛けられたスリッパを検出し、霧化ユニットを駆動して、配管から霧化された薬液粒子をスリッパの甲被の内側に噴出することによって、スリッパの甲被の内側を消毒することができるという利点がある。
【発明を実施するための最良の形態】
【０００８】
本発明では、側板に複数段の支持部材にそれぞれ複数の中空のスリッパ掛けを固着し、このスリッパ掛けに配管の一端を接続し、配管の他端を霧化ユニットに接続し、スリッパ掛けにスリッパが掛けられた時、スリッパ掛けに装着したセンサでスリッパを検出して、霧化ユニットを駆動することにより、配管を介して霧化ユニットから霧化された薬液をスリッパ掛けの噴出口からスリッパの甲被の内側に散布することにより、スリッパを消毒することができた。
【実施例】
【０００９】
図１は本発明の実施例の消毒スリッパ掛け装置の斜視図、図２は図１の消毒スリッパ掛け装置のスリッパ掛けの平面図、図３は図１の消毒スリッパ掛け装置のスリッパ掛けの側面図、図４は図１の消毒スリッパ掛け装置のスリッパ掛けにスリッパを掛けた斜視図、図５は図１の消毒スリッパ掛け装置のスリッパ掛けにスリッパを掛けた側面断面で、枠体１の側板２に間隔を開けて複数の支持部材３の両端が平行に固着され、それぞれの支持部材３にスリッパ４の甲被４ａと底板４ｂの間の空間に挿入されるスリッパ掛け５が先端５ａを上にして複数個ずつ固着され、スリッパ掛け５に先端近傍の前面５ｂにセンサ６が装着され、スリッパ掛け５の内部５ｃは中空に構成され、スリッパ掛け５の前面５ｂに多数の噴出口５ｄが形成され、スリッパ掛け５の下端の接続口５ｅに配管７の一端７ａが接続され、この配管７の他端７ｂは枠体１の下部の装着部１ａに装着された霧化ユニット８にそれぞれ接続され、又、霧化ユニット８の隣に薬液タンク９が装着され、さらに、薬液タンク９の後部に電源及び制御装置が内蔵された電源ユニット１０が装着され、電源ユニット１０に商用電源に接続されるプラグを接続したコード１１が接続されている。
【００１０】
このように構成された本実施例の消毒スリッパ掛け装置では、スリッパ４がスリッパ掛け５に掛けられていないときは、霧化ユニット８のいずれも駆動されていないので、スリッパ掛け５の噴出口５ｄから霧化薬液は噴出されていないが、スリッパ掛け５にスリッパ４が掛けられると、センサ６で検出され、この検出信号は電源ユニット１０に送られ、電源ユニット１０は霧化ユニット８ａ、８ｂ、８ｃの中のスリッパ４が掛けられたスリッパ掛け５が接続されている霧化ユニットのみを駆動して、霧化された薬液をスリッパ掛け５からスリッパ４の甲被４ａ内に噴出するので、スリッパ掛け５に掛けられたスリッパ４は甲被４ａ内が迅速に消毒され、薬液が短時間噴出された後、霧化ユニットは駆動を停止される。
【００１１】
本発明の実施例の消毒スリッパ掛け装置では、このように、スリッパ４がスリッパ掛け５に掛けられたときにだけ霧化した薬液をスリッパ４の甲被４ａ内に噴出するようにしたので、スリッパ４を使用したときだけ消毒するようにしているので、少しの薬液で消毒することができるので、薬液が無駄に噴出されることがなく、スリッパ４を常に清潔に保つことができるという利点がある。
【産業上の利用可能性】
【００１２】
なお、上記実施例におけるセンサはスリッパ４をスリッパ掛け５に掛けたときに、周囲の光を遮断する光学センサを使用してもよいし、又、スリッパ４の重みでスイッチを駆動させるリミットスイッチでもよいし、又、上記実施例では、スリッパ掛け５の前面に噴出口を形成したが、スリッパ４の底板も消毒できるように、スリッパ掛け５の裏面にも多数の噴出口を設けても良い。
【図面の簡単な説明】
【００１３】
【図１】図１は本発明の実施例の消毒スリッパ掛け装置の斜視図である。
【図２】図２は図１の消毒スリッパ掛け装置のスリッパ掛けの平面図である。
【図３】図３は図１の消毒スリッパ掛け装置のスリッパ掛けの側面図である。
【図４】図４は図１の消毒スリッパ掛け装置のスリッパ掛けにスリッパを掛けた斜視図である。
【図５】図５は図１の消毒スリッパ掛け装置のスリッパ掛けにスリッパを掛けた側面断面である。
【符号の説明】
【００１４】
１              枠体
２              側板
３              支持部材
４              スリッパ  
５              スリッパ掛け
６              センサ
７              配管
８              霧化ユニット
９              薬液タンク
１０            電源ユニット
１１            コード
【図１】
2008206877.tif 000003
【図２】
2008206877.tif 000004
【図３】
2008206877.tif 000005
【図４】
2008206877.tif 000006
【図５】
2008206877.tif 000007